(57)【要約】【課題】シャワー装置に加圧手段を設けても、併設した浴槽水循環装置を利用することで、小型化が図られると共に構成の複雑化が回避された浴室設備を提供する。【解決手段】シャワー装置１にシャワー吐水口３からシャワー水を加圧して吐出するための加圧手段４を設ける。浴槽５内の浴槽水を吸い込んで再び浴槽５内に噴出する浴槽水循環装置２におけるポンプ６が上記シャワー装置１の加圧手段４を兼用する。ポンプ６を介して浴槽水を吸い込んで再び浴槽５内に噴出させるための水路と、ポンプ６を介してシャワー吐水口３からシャワー水を加圧して吐出させるための水路とを切り替える水路切替手段を設ける。【選択図】図１
2007297870.tif 000002
【特許請求の範囲】
【請求項１】
シャワー装置にシャワー吐水口からシャワー水を加圧して吐出するための加圧手段を設け、浴槽内の浴槽水を吸い込んで再び浴槽内に噴出する浴槽水循環装置におけるポンプが上記シャワー装置の加圧手段を兼用し、ポンプを介して浴槽水を吸い込んで再び浴槽内に噴出させるための水路と、ポンプを介してシャワー吐水口からシャワー水を加圧して吐出させるための水路とを切り替える水路切替手段を設けて成ることを特徴とする浴室設備。
【請求項２】
シャワー水を浴槽水とは異なる湯水で構成したことを特徴とする請求項１記載の浴室設備。
【請求項３】
シャワー水を浴槽水で構成可能にしたことを特徴とする請求項１または２記載の浴室設備。
【請求項４】
浴槽に設けた吸込口と吐水口とを接続する浴槽水循環装置の循環経路にポンプを配置し、この循環経路におけるポンプの上流側部位で浴槽水とは異なる湯水を供給する湯水供給経路を合流させると共に、循環経路におけるポンプの下流側部位でシャワー吐水口に至るシャワー装置のシャワー経路を分岐させ、上記水路切替手段が、湯水供給経路から至る湯水または循環経路の浴槽水を選択的にポンプに流す上流水路切替部と、ポンプを通過した水を循環経路を経て吐水口にまたはシャワー経路を経てシャワー吐水口に選択的に流す下流水路切替部とを備えて成ることを特徴とする請求項１記載の浴室設備。
【発明の詳細な説明】
【技術分野】
【０００１】
本発明は浴室設備に関し、詳しくはシャワー装置と浴槽水循環装置とを併設して成る浴室設備に関するものである。
【背景技術】
【０００２】
従来から、浴室には浴室設備としてシャワー装置とジェットバス装置のような浴槽水循環装置とを併設することが行われている（たとえば特許文献１参照）。一般に、シャワー装置は給湯器等から供給された浴槽水とは異なる湯水を水道圧を利用してシャワー吐水口から吐出するものであり、浴槽水循環装置はポンプ等で構成した加圧手段によって浴槽内の浴槽水を吸い込んで再び浴槽内に噴出するものである。浴室は良好な居住性を確保するために居住スペースをできるだけ大きく形成するものであって、相対的に浴室設備を設置する居住スペース外のスペースは小さくなる。つまり、浴室設備には、小さいスペースとなる居住スペース外に設置可能にするために、小型化が求められるのである。
【０００３】
ところで、シャワー装置は一般に上述のように水道圧を利用してシャワー吐水口から吐出するものであるが、マンションなどの高層階にある浴室や水道圧が低い地域の浴室に設置したシャワー装置では、シャワー装置内の水道圧が低くて所定のシャワー吐出圧を得ることができず、この不足するシャワー吐出圧を補うために、シャワー装置にシャワー水を加圧して吐出するためのポンプ等で構成した加圧手段を付設して対応する場合がある。
【０００４】
上記のように浴槽水循環装置と共に浴室設備を構成するシャワー装置に、シャワー吐水口からシャワー水を加圧して吐出するための加圧手段を設ける場合には、比較的大きな設置スペースを要する加圧手段を２つ備えることとなり、浴室設備が大型化してしまうのは勿論のこと、上記小さい設置スペースに設置しなければならない浴室設備の設置の制約も相俟って、配管構造等、浴室設備の構成が顕著に複雑化してしまうという問題があった。浴室設備の構成が複雑化するとメンテナンス作業が煩雑化するという弊害が生じることとなるのである。
【特許文献１】特開平６−６３０８６号公報
【発明の開示】
【発明が解決しようとする課題】
【０００５】
本発明は上記の従来の問題点に鑑みて為したものであって、シャワー装置に加圧手段を設けても、併設した浴槽水循環装置を利用することで、小型化が図られると共に構成の複雑化が回避された浴室設備を提供することを課題とするものである。
【課題を解決するための手段】
【０００６】
上記課題を解決するために本発明の請求項１に係る浴室設備は、シャワー装置１にシャワー吐水口３からシャワー水を加圧して吐出するための加圧手段４を設け、浴槽５内の浴槽水を吸い込んで再び浴槽５内に噴出する浴槽水循環装置２におけるポンプ６が上記シャワー装置１の加圧手段４を兼用し、ポンプ６を介して浴槽水を吸い込んで再び浴槽５内に噴出させるための水路と、ポンプ６を介してシャワー吐水口３からシャワー水を加圧して吐出させるための水路とを切り替える水路切替手段を設けて成ることを特徴とする。
【０００７】
これによると、シャワー吐水口３からシャワー水を加圧して吐出するためにシャワー装置１に付設する加圧手段４を、もともと浴槽水循環装置２に装備されているポンプ６で兼用したので、つまり浴室設備に設ける加圧手段４が１つで済むものであるから、浴室設備の構成の複雑化を回避すると共に、浴室設備を小型化できる。
【０００８】
また、請求項２に係る浴室設備は、請求項１において、シャワー水を浴槽水とは異なる湯水で構成したことを特徴とする。これによると、浴槽水とは異なる未使用のきれいな湯水をシャワー水として使用できる。
【０００９】
また、請求項３に係る浴室設備は、請求項１または２において、シャワー水を浴槽水で構成可能にしたことを特徴とする。これによると、従来のように入浴者が桶で汲み出したり浴槽水汲出し用のポンプ装置を別途使用したりせずに、シャワー装置１を利用して浴槽水を浴槽５外で有効利用することができて便利である。また、入浴時に既に適温にされている浴槽水をシャワー水として浴びることができ、つまり温度調節を行わずとも適温のシャワー水を浴びることができて便利である。
【００１０】
また、請求項４に係る浴室設備は、請求項１において、浴槽５に設けた吸込口７と吐水口８とを接続する浴槽水循環装置２の循環経路９にポンプ６を配置し、この循環経路９におけるポンプ６の上流側部位で浴槽水とは異なる湯水を供給する湯水供給経路１０を合流させると共に、循環経路９におけるポンプ６の下流側部位でシャワー吐水口３に至るシャワー装置１のシャワー経路１１を分岐させ、上記水路切替手段が、湯水供給経路１０から至る湯水または循環経路９の浴槽水を選択的にポンプ６に流す上流水路切替部１２と、ポンプ６を通過した水を循環経路９を経て吐水口８にまたはシャワー経路１１を経てシャワー吐水口３に選択的に流す下流水路切替部１３とを備えて成ることを特徴とする。
【００１１】
これによると、水路切替手段の上流水路切替部１２によって湯水供給経路１０から至る湯水をポンプ６に至らせると共に下流水路切替部１３によってポンプ６を通過した上記湯水をシャワー経路１１を経てシャワー吐水口３に至らせることができる。この場合、水道圧に依存するシャワー吐出圧が不足した際にはポンプ６によってシャワー水を加圧して補うことができて入浴者は所定のシャワー吐出圧で水槽水とは異なる未使用の湯水を浴びることができて好ましい。また、水路切替手段の上流水路切替部１２によって湯水供給経路１０から至る湯水をポンプ６に至らせると共に下流水路切替部１３によってポンプ６を通過した上記湯水を循環経路９の吐水口８から浴槽５内に至らせることができる。つまり、シャワー装置１の湯水供給経路１０や浴槽水循環装置２の循環経路９を利用して湯水を浴槽５に供給できるのであり、浴槽５に湯水を供給するために浴槽用給水経路を別途設けて対応していた従来技術と比較して、浴槽設備の構成を簡略化できる。また、水路切替手段の上流水路切替部１２によって循環経路９の浴槽水をポンプ６に至らせると共に下流水路切替部１３によってポンプ６を通過した上記浴槽水をシャワー経路１１を経てシャワー吐水口３に至らせることができる。この場合、従来のように入浴者が桶で汲み出したり浴槽水汲出し用のポンプ装置を別途使用したりせずに、シャワー装置１を利用して浴槽水を浴槽５外で使用できて便利である。また、水路切替手段の上流水路切替部１２によって循環経路９の浴槽水をポンプ６に至らせると共に下流水路切替部１３によってポンプ６を通過した上記浴槽水を循環経路９の吐水口８から浴槽５内に至らせることができる。この場合、浴槽水循環装置２の通常運転を可能にできる。
【発明の効果】
【００１２】
本発明は、シャワー装置に加圧手段を設けても、併設した浴槽水循環装置を利用して、浴室設備の小型化を図ると共に、浴室設備の構成の複雑化を回避できる、という利点を有する。
【発明を実施するための最良の形態】
【００１３】
図１のように本例の浴室設備は浴室に併設したシャワー装置１と浴槽水循環装置２とで構成されている。浴槽水循環装置２は、浴槽５に設けた吸込口７と吐水口８とを接続する循環経路９を有し、吸込口７から浴槽５内の浴槽水を吸い込むと共に上記吸い込んだ浴槽水を循環経路９の下流側に圧送して吐水口８から浴槽５内に噴出させるための加圧手段であるポンプ６を上記循環経路９の途中に設けたことで、構成されている。具体的に、本例の浴槽水循環装置２は循環経路９に空気混入部（図示せず）を備えたいわゆるジェットバス装置で構成されているが、たとえば図示はしないが上記気体混入部にて混合された気体を微細化する微細気泡生成部を循環経路９に更に備えたいわゆる微細気泡発生装置で構成してもよい。この浴槽水循環装置２は浴槽５のエプロン内空間１４に収容配置されている。
【００１４】
浴室の洗い場１５に臨む壁面１６にはカウンター１７が設けられ、このカウンター１７に湯水混合部１９を備えたカラン１８が設けられている。このカラン１８の湯水混合部１９には、それぞれ浴室外から至る、上水道から上水が供給される給水経路２０と、給湯器からお湯が供給される給湯経路２１とが接続されている。給水経路２０から供給された水と給湯経路２１から供給されたお湯は湯水混合部１９で所定の混合比で混合されて所定温度の湯水が生成される。この湯水混合部１９には、流路切替弁を介して、上記所定温度の湯水をカラン１８の吐水口２３に至らせるカラン内流路が設けられると共に、上記所定温度の湯水をシャワー水などに利用するための湯水供給経路１０が設けられている。上記所定温度の湯水のカラン内流路と湯水供給経路１０との流路切替弁での切替はカラン１８に設けた操作部２４によって行われる。
【００１５】
この湯水供給経路１０は浴室空間に露出しないようにカウンター１７内を通して浴槽５のエプロン内空間１４に至らせてポンプ６の下流側部位の循環経路９に合流している。具体的には、ポンプ６の上流側部位の循環経路９には流路切替弁（以下、上流側流路切替弁１２ａという）が配設されていて、湯水供給経路１０は上流側流路切替弁１２ａに接続されている。詳しくは、上流側流路切替弁１２ａは湯水供給経路１０や循環経路９の上流側が接続された２個の入口と循環経路９の下流側が接続された１個の出口とを備えていて内装した弁体によって２個の入口のいずれかを出口に切替自在に連通するようにされている。
【００１６】
また、ポンプ６の上流側部位の循環経路９にはシャワー吐水口３を備えたシャワーヘッド２６にその先端が接続されるシャワー経路１１が分岐している。具体的には、ポンプ６の下流側部位の循環経路９には流路切替弁（以下、下流側流路切替弁１３ａという）が配設されていて、下流側流路切替弁１３ａからシャワー経路１１が延出されている。詳しくは、下流側流路切替弁１３ａは循環経路９の上流側が接続された１個の入口と循環経路９の下流側やシャワー経路１１が接続された２個の出口とを備えていて内装した弁体によって２個の出口のいずれかを入口に切替自在に連通するようにされている。シャワー経路１１はエプロン内空間１４からカウンター１７内を通してカウンター１７の適宜位置から浴室空間内に突出されており、シャワー装置１の下流側部分を構成するシャワー経路１１の浴室空間内に突出された部分は、フレキシブル管２５で構成されてその先端にシャワーヘッド２６が接続されている。ここで、シャワー装置１はいわゆるシャワー水をシャワー吐水口３から吐出する機構を備えた装置であり、後述のように本例のシャワー水は循環経路９の吸込口７から至る浴槽水や湯水供給経路１０から至る湯水を適宜使用するのであるから、本例のシャワー装置１は、シャワー経路１１や、湯水供給経路１０や、ポンプ６を有する循環経路９の上流側流路切替弁１２ａと下流側流路切替弁１３ａとの間の部位（以下便宜上、循環経路９のシャワー装置兼用路２７という）、を備えて構成されている。なお、図示はしないが、カラン１８や上記シャワー装置１の下流側部分は浴室の壁面１６に直接設けてもよく、この場合、湯水供給経路１０やシャワー経路１１はカウンター１７内の代わりに浴室の壁面１６内を通すように配設するのが好ましい。
【００１７】
これら上流側流路切替弁１２ａや下流側流路切替弁１３ａは、たとえば電磁弁やモータバルブや手動の切替えレバー等が採用できるのであって、それぞれ上流水路切替部１２、下流水路切替部１３を構成するのであり、この上流水路切替部１２や下流水路切替部１３は、ポンプ６を介して浴槽水を吸い込んで再び浴槽５内に噴出させるための水路と、ポンプ６を介してシャワー吐水口３からシャワー水を加圧して吐出させるための水路とを切り替える水路切替手段を構成している。なお、図示はしないが、水路切替手段を構成する上流水路切替部１２や下流水路切替部１３は、上記上流側流路切替弁１２ａや下流側流路切替弁１３ａの代わりに、上記上流側流路切替弁１２ａや下流側流路切替弁１３ａと同様に流路を適宜切り替えることのできる適宜の機構で構成させてもよい。
【００１８】
上記構成の本例の浴室設備にあっては、まず、図２のように、上流側流路切替弁１２ａを湯水供給経路１０と循環経路９のシャワー装置兼用路２７とを連通状態にすることで湯水供給経路１０から至る湯水をポンプ６に至らせると共に、下流側流路切替弁１３ａを循環経路９のシャワー装置兼用路２７とシャワー経路１１とを連通状態にすることでポンプ６を通過した上記湯水をシャワー経路１１を経てシャワー吐水口３に至らせることができる。この場合、水道圧に依存するシャワー吐出圧が不足した際にはポンプ６によってシャワー水を加圧して補うことができるのであって、シャワー装置１（浴室設備）がマンションなどの高層階にある浴室や水道圧が低い地域の浴室に設置された場合でも、入浴者は所定のシャワー吐出圧で未使用のきれいな湯水を浴びることができるのである。換言すると、シャワー吐出圧不足を補うためにシャワー装置１に設ける加圧手段４を、もともと浴槽水循環装置２に装備されているポンプ６で兼用しているので、つまり浴室設備に設ける加圧手段４が１つで済むものであるから、シャワー装置１に加圧手段４を設けたものであっても浴室設備の構成の複雑化を回避することができたものである。
【００１９】
また、上記構成の浴室設備にあっては、図３のように、上流側流路切替弁１２ａを湯水供給経路１０と循環経路９のシャワー装置兼用路２７とを連通状態にすることで湯水供給経路１０から至る湯水をポンプ６に至らせると共に、下流側流路切替弁１３ａを循環経路９のシャワー装置兼用路２７と循環経路９における該シャワー装置兼用路２７の下流側部位とを連通状態にすることでポンプ６を通過した上記湯水を循環経路９の吐水口８から浴槽５内に至らせることができる。つまり、シャワー装置１の湯水供給経路１０や浴槽水循環装置２の循環経路９を利用して湯水を浴槽５に供給できるのである。浴槽５に湯水を供給するためには、シャワー装置１とは別個の浴槽用給水経路や、浴槽用給水経路が接続する浴槽用カランを別途設けることで対応しているのが現状であり、上記別途設ける浴槽用給水経路や浴槽用カランによって浴室設備の構成が複雑化するものであったが、本例では上述のようにシャワー装置１の湯水供給経路１０や浴槽水循環装置２の循環経路９を利用して湯水を浴槽５に供給できるようにしてあり、したがって上記浴槽５に湯水を供給するために浴槽用給水経路を別途設けて対応することに比較して、浴槽設備の構成を簡略化できたものである。
【００２０】
また、上記構成の浴室設備にあっては、図４のように、上流側流路切替弁１２ａを循環経路９のシャワー装置兼用路２７と循環経路９におけるシャワー装置兼用路２７の上流側部位とを連通状態にすることで浴槽水をポンプ６に至らせると共に、下流側流路切替弁１３ａを循環経路９のシャワー装置兼用路２７とシャワー経路１１とを連通状態にすることでポンプ６を通過した上記浴槽水をシャワー経路１１を経てシャワー吐水口３に至らせることができる。つまり、ポンプ６を駆動させることでシャワー吐水口３から吐出されるシャワー水を浴槽水で構成させることができたものである。浴槽水を浴槽５外で使用する場合（たとえば洗い場１５で浴びる浴水や洗濯機で使う洗濯水）には、浴槽５に溜まる浴槽水を入浴者が桶で汲み出したり、別個の浴槽水汲出し用のポンプ装置を使用して浴槽水を吸い出すことで対応しているのが現状であり、桶で汲み出す作業や浴槽水汲み出し用のポンプ装置をセットして使用する作業が煩雑であったが、本例では上述のようにシャワー装置１を利用して浴槽水を浴槽５外で使用できるのであって、便利である。詳しくは、シャワー装置１はシャワーヘッド２６を使用者が持って任意箇所に向けたシャワー吐出口からシャワー水を吐出できるから、腰を曲げたり所定水量の入った桶を持つ動作を伴う浴槽水を桶ですくって身体に浴びせる動作に比べて身体への負担がかからなくて使い勝手が良く、また、浴槽水であるシャワー水を洗濯機の洗濯槽内にも容易に注ぐことができるのであってこの場合には残り湯の有効活用も同時に図ることができる。
【００２１】
無論、上記構成の浴室設備にあっては、図５のように、上流側流路切替弁１２ａを循環経路９のシャワー装置兼用路２７と循環経路９におけるシャワー装置兼用路２７の上流側部位とを連通状態にすることで浴槽水をポンプ６に至らせると共に、下流側流路切替弁１３ａを循環経路９のシャワー装置兼用路２７と循環経路９におけるシャワー装置兼用路２７の下流側部位とを連通状態にすることでポンプ６を通過した上記浴槽水を循環経路９の吐水口８から浴槽５に至らせることができる。つまり、循環経路９全体を連通状態にしてポンプ６を駆動させることで、浴槽水循環装置２の駆動も確保されているのである。
【００２２】
なお、シャワー装置１にシャワー吐水口３からシャワー水を加圧して吐出するための加圧手段４を設ける場合として、背景技術の欄で説明した水道圧不足を補う場合の他にも、たとえば浴槽水をシャワー水として使用するタイプのシャワー装置１における浴槽水を吸い込むための加圧手段４が挙げられる。図示はしないが、このようなシャワー装置１を浴槽水循環装置２と共に備えた浴室設備（すなわち先例の湯水供給経路１０が存在しない浴室設備）においても、浴槽水循環装置２のポンプ６で上記シャワー装置１の加圧手段４を兼用することにより、先例同様に、浴室設備の小型化や構成の複雑化の回避を図ることができるものである。
【図面の簡単な説明】
【００２３】
【図１】本発明の実施の形態の例の浴室設備の概略構成図である。
【図２】同上の浴槽水とは異なる湯水をシャワー吐水口から吐出する状態の浴室設備の説明図である。
【図３】同上の浴槽水とは異なる湯水を浴槽に吐出する状態の浴室設備の説明図である。
【図４】同上の浴槽水をシャワー吐水口から吐出する状態の浴室設備の説明図である。
【図５】同上の浴槽水を浴槽に吐出する状態（浴槽水循環装置の駆動時）の浴室設備の説明図である。
【符号の説明】
【００２４】
１  シャワー装置
２  浴槽水循環装置
３  シャワー吐水口
４  加圧手段
５  浴槽
６  ポンプ
７  吸込口
８  吐水口
９  循環経路
１０  湯水供給経路
１１  シャワー経路
１２  上流水路切替部
１３  下流水路切替部
【図１】
2007297870.tif 000003
【図２】
2007297870.tif 000004
【図３】
2007297870.tif 000005
【図４】
2007297870.tif 000006
【図５】
2007297870.tif 000007